(57)【特許請求の範囲】
【請求項１】
橋梁等の主桁底型枠面に用いる内型枠固定金具において、円錐台状のコーンと、前記コーンの外周面を逆勾配の円錐台状に被覆した逆コーンと、前記逆コーンを高さ方向に沿って設けた切断面と、により構成されることを特徴とする内型枠固定金具。
【請求項２】
橋梁等の主桁底型枠面に用いる内型枠固定金具において、円錐台状のコーンと、前記コーンの外周面を逆勾配の円錐台状に被覆した逆コーンと、前記逆コーンを高さ方向に沿って内側幅が広くなるように横断面が略梯形状断面となる切断片と、により構成されることを特徴と内型枠固定具。
【発明の詳細な説明】
【０００１】
【発明の属する技術分野】
本発明は、橋梁等の主桁底型枠面に用いる内型枠固定金具で、型枠脱形後にコーン部に詰めたモルタルが垂れ落ちたり、剥離して落下したりすることのない、内型枠固定具に関するものである。
【０００２】
【従来技術】
従来、プレストレストコンクリートの橋梁（以下ＰＣ橋梁）等にコンクリートを打設する際に使用される内型枠固定具としては、硬質プラスチック製や木製の円錐台状のコーンが用いられている。コンクリートを打設し、所定の期間養生後に、レンチによってコンクリート内から円錐台状のコーンを取り除いていた。コーンは、硬化したコンクリートから容易に取り除きできるように、取り除く方向に拡径した円錐台の形状となっている。コーンを取り出したことによってできた凹部には、モルタル等を詰め込んで充填することによって仕上げを行っていた。
【０００３】
【発明が解決しようとする課題】
前記した円錐台状の内型枠固定金具により、型枠の固定が確実に行えるとともに、コンクリート硬化後のコーンの脱形が、コーンを取り除く方向に拡径した円錐台形状となっているため、容易に行えた。しかし、コーンを取り出してできた凹部を、仕上げしたモルタルがコンクリート表面に向かって拡径した円錐台形状のために、脱落しやすく、その脱落した凹部を起点にしてコンクリートに亀裂等が発生し、構造物に悪影響を与える。特に橋梁等の主桁の底型枠に用いられる場合は、コーンを取り外す方向が下方となるために、図５に示すようにモルタルが垂れ落ちたり、硬化収縮によって円錐面で剥離して滑りやすく、落下して地上の人や構造物に損傷を与えるという危険も発生する。
【０００４】
このため、本発明は、橋梁等の主桁の底型枠でも、モルタルの垂れやモルタル硬化後の落下を発生させない内型枠固定金具を提供するものである。
【０００５】
【課題を解決するための手段】
すなわち本発明は、橋梁等の主桁底型枠面に用いる内型枠固定金具において、円錐台状のコーンと、前記コーンの外周面を逆勾配の円錐台状に被覆した逆コーンと、前記逆コーンを高さ方向に沿って設けた切断面と、により構成される内型枠固定金具である。また、橋梁等の主桁底型枠面に用いる内型枠固定金具において、円錐台状のコーンと、前記コーンの外周面を逆勾配の円錐台状に被覆した逆コーンと、前記逆コーンを高さ方向に沿って内側幅が広くなるように横断面が略梯形状断面となる切断片と、により構成される内型枠固定具である。
【０００６】
円錐台状のコーンは、従来のプラスチック製や木製のものが用いられ、両端にネジ加工をしたセパレータにコーンを設置することによって、型枠を固定する。
【０００７】
逆コーンは、前記したコーンの外面のテーパーと逆テーパーの円錐台形状で、コーン外周面を被覆するように取り付けられる。逆コーンの材質は、ゴム材が用いられ、高さ方向に沿って切断面が設けられている。ゴム材としては、取り外し時に切断面から反転可能な硬度のゴム材が選定される。
【０００８】
また、他の実施形態の逆コーンは、硬質のゴム材等で製作され、高さ方向に沿って内側幅が広くなるように横断面が略梯形状断面となるように切断片が設けられている。
【０００９】
内型枠固定具にゴム材の逆コーンを使用した場合は、コンクリート硬化後にレンチによってコーンを取り外し、逆コーンの切断面部より反転させて逆コーン取り外す。次にコンクリート表面に向かって縮径した円錐台状の凹部にモルタルを埋め込んで補修する。モルタルは、コンクリート表面側が縮径されているため、主桁等の底面でも垂れたり、落下することはない。
【００１０】
他の実施形態の逆コーンを使用した場合は、コーンを取り外し、次に逆コーンの切断片を内側に取り外し、切断片のスペースを利用して逆コーンを縮径し、コンクリート内から取り外す。同様に凹部にモルタルが詰められて充填される。
【００１１】
【発明の実施の形態】
以下、本発明の実施形態を図面を基に説明する。図１は、本発明の内型枠固定金具を説明する断面図である。内型枠固定金具１は、型枠７面に向かって拡径した円錐台状のコーン２の外周面を、型枠７面に向かって縮径した逆テーパーの円錐台形状の逆コーン３が被覆して構成されている。内型枠固定金具１のコーン２は、コーン２の中心に設けたネジ部にセパレーター４を連結して型枠７内面に当接されます。型枠７の外面は、コーン２のネジ部に設置して型枠７の外側まで延長した軸足メタル５を、ホームタイ６に接続して締め付けることによって、型枠７を固定します。
【００１２】
型枠７の固定が完了すると、型枠７内にコンクリート１２が打設され、所定の期間養生が行われます。コンクリートが硬化し、所定の強度が出ると型枠７が撤去さます。コンクリート１２内に残った内型枠固定具１は、軸足メタルを外した後、レンチによりコーン２を取り外します。そして、逆コーン３に設けた切断面８より逆コーン３を反転させて逆コーン３を取り外します。次にコンクリート１２面にできた凹部１０にモルタル１１が詰められて凹部１０が充填される。
【００１３】
コーン２としては、従来用いられているプラスチック製や木製の円錐台形状のものを使用すればよい。
【００１４】
図２は、本発明の逆コーンを説明する詳細図である。逆コーン３の内面は、コーン２の外面と合致して覆うように、円錐台状に貫通孔が設けられている。逆コーン３の外面は、内面の貫通孔と逆テーパーとなるように円錐台状に製作されている。また、逆コーン３の高さ方向に沿って、切断面８が設けられて縁切りされている。
【００１５】
逆コーン３の材質としては、ゴム材が用いられる。逆コーン３の取り外しは、コンクリート１２面に向かって縮径した円錐台状の凹部１０から、逆コーン３に設けた切断面８を利用して容易に反転できる硬度のゴム材が選定される。
【００１６】
図３は、本発明の他の実施形態による逆コーンを説明する詳細図である。逆コーン３の高さ方向に沿って、外側幅より内側幅が広くなるように切断し、横断面が略梯形状断面の断片９が設けられる。逆コーン３の材質としては、硬質のゴム材やプラスチック材が用いられる。逆コーン３の取り外しは、断片９を逆コーン３の内側に引抜き、断片９部分の空間を利用して逆コーン３を縮径させて取り外す。
【００１７】
図４は、本発明の円錐台状の凹部のモルタル充填状況を示す断面図である。コンクリート１２が硬化し、コーン２及び逆コーン３が撤去されると、モルタル１１が詰め込まれてコンクリート１２表面と均一に仕上げられる。充填されたモルタル１１は、硬化収縮してコンクリート１２の凹部１０の円錐台状の面と縁が切れたりするが、モルタル１１がコンクリート１２表面に向かって縮径された円錐台状となっいるため、落下したすることはない。
【００１８】
【発明の効果】
以上のように、本発明の円錐台状に縮径した逆コーンを用いた内型枠固定金具により、凹部に詰めたモルタルが垂れたにくくなるとともに、モルタル硬化後も凹部よりずれたり、落下することがなくなった。特に、橋梁等の主桁の底型枠面での使用では、詰め込まれたモルタルが落下することがなくなり、地上の人の安全性の確保や構造物の損傷を皆無にした。
【００１９】
【図面の簡単な説明】
【図１】本発明の内型枠固定金具を説明する断面図である。
【図２】本発明の逆コーンを説明する詳細図である。
【図３】本発明の他の実施形態による逆コーンを説明する詳細図である。
【図４】本発明の円錐台状に凹部のモルタル充填状況を示す断面図である。
【図５】従来技術による凹部のモルタル充填状況を示す断面図である。
【符号の説明】
１              内型枠固定金具
２              円錐台状のコーン
３              逆コーン
４              セパレーター
５              軸足メタル
６              ホームタイ
７              型枠
８              切断面
９              断片
１０            凹部
１１            モルタル
１２            コンクリート
【図１】
0003804911.tif 000002
【図２】
0003804911.tif 000003
【図３】
0003804911.tif 000004
【図４】
0003804911.tif 000005
【図５】
0003804911.tif 000006